(57)【特許請求の範囲】
【請求項１】
第一ユニットと、
前記第一ユニットに取り付けられ、閉位置と開位置との間で変位可能で、前記閉位置にある場合には前記第一ユニットの上面を覆う第二ユニットと
を有し、
前記第一ユニットは、
読み取り対象物を支持可能な支持部と、
前記支持部に沿って移動しつつ前記支持部によって支持された前記読み取り対象物の画像を読み取り可能な第一読取部と
を備え、
前記第二ユニットは、
所定の搬送経路に沿ってシートを搬送する搬送部と、
前記第二ユニットが前記閉位置にある場合に、前記支持部に支持されている前記読み取り対象物を前記支持部側へと押圧する押圧部と、
前記搬送部によって搬送されるシートが接触可能な接触部と、
前記搬送経路を挟んで前記接触部と対向する箇所に配設されたシート押さえ部と、
前記接触部を挟んで前記シート押さえ部とは反対側に配設され、前記搬送部によって搬送されるシートの画像を読み取り可能な第二読取部と、
第一位置と第二位置との間で変位可能で、前記シート押さえ部を保持しており、前記第一位置にある場合には、前記搬送経路を挟んで前記接触部と対向する位置に前記シート押さえ部を保持して前記シート押さえ部及び前記接触部を覆う一方、前記第二位置にある場合には、前記シート押さえ部を前記接触部から離間させるカバー部と
を備え、
前記カバー部は、前記第二ユニットにおける、前記第二ユニットが前記閉位置にある場合に前記第一ユニットに対向する箇所、かつ、前記押圧部とは重ならない箇所に設けられていて、前記第二ユニットが前記閉位置にある場合には、前記第一ユニットによって前記第二位置への変位が規制され、前記第二ユニットが前記開位置にある場合には、前記第一ユニットによる規制が解除されて前記第二位置へ変位可能となる
画像読取装置。
【請求項２】
請求項１に記載の画像読取装置であって、
前記カバー部は、前記搬送部によって搬送されるシートの搬送方向に直交するシートの幅方向に平行な軸線を回動中心として、前記第二ユニットのベース部に対して回動可能に取り付けられており、
前記カバー部が前記第一位置にある状態において、前記押圧部に近い位置にある前記カバー部の一端と前記押圧部から離れた位置にある前記カバー部の他端とでは、前記他端寄りの位置に前記カバー部の回動中心があり、前記カバー部が前記第二位置へ回動する場合には、前記一端が前記第二ユニットのベース部から離間する方向へ変位する
画像読取装置。
【請求項３】
請求項２に記載の画像読取装置であって、
前記カバー部を前記第二位置側から前記第一位置側へと変位させる向きに付勢する第一付勢部材を有する
画像読取装置。
【請求項４】
請求項３に記載の画像読取装置であって、
前記第一付勢部材は、前記カバー部の回動中心となる軸線が延びる方向の両端それぞれに設けられている
画像読取装置。
【請求項５】
請求項３又は請求項４に記載の画像読取装置であって、
前記シート押さえ部を前記接触部側に向かって付勢する第二付勢部材
を有し、
前記第二ユニットが前記開位置にある場合には、前記カバー部は、前記第一付勢部材によって前記第一位置側へ付勢される一方、前記第二付勢部材によって前記第二位置側へ付勢されることにより、前記第一位置と前記第二位置との間で前記第一位置寄りの位置となる第三位置へと変位し、
前記第二ユニットが前記閉位置にある場合には、前記カバー部は、前記第一ユニットに当接して、前記第二ユニットの荷重が前記カバー部に作用することにより、前記第二付勢部材の付勢力に抗して前記第一位置へと変位する
画像読取装置。
【請求項６】
請求項５に記載の画像読取装置であって、
前記シート押さえ部は、板金製の部品であり、
前記第二付勢部材は、金属製の部品であり、前記シート押さえ部とアース電位を持つ金属部品との間に介在して、前記シート押さえ部と前記金属部品とを電気的に接続している
画像読取装置。
【請求項７】
請求項５又は請求項６に記載の画像読取装置であって、
前記接触部及び前記シート押さえ部は、前記支持部が有する前記読み取り対象物の支持面に対して傾斜した状態で配置されている
画像読取装置。
【請求項８】
請求項１から請求項７のいずれか一項に記載の画像読取装置であって、
前記カバー部は、当該カバー部を変位させる際に利用者が指先を掛けることが可能な孔又は凹部を有する
画像読取装置。
【発明の詳細な説明】
【技術分野】
【０００１】
本発明は、画像読取装置に関する。
【背景技術】
【０００２】
二つのイメージセンサを有する画像読取装置が知られている（例えば、特許文献１参照。）。下記特許文献１に記載の画像読取装置の場合、フラットベッド（以下、ＦＢと略称する。）読み取り用のプラテン（３５）が上面側に配設された第一ユニット（２）と、第一ユニットの上側に開閉可能に配設された第二ユニット（３）とを有する。第二ユニットには、所定の搬送経路に沿ってシートを搬送するＡＤＦ（６）（Automatic Document Feeder；自動原稿送り装置）が設けられている。上記二つのイメージセンサのうち、一方のイメージセンサ（２０）は、第一ユニットに配設され、他方のイメージセンサ（４０）は、第二ユニットに配設されている。
【０００３】
一方のイメージセンサは、ＦＢ読み取り用プラテンの下面に沿って、読取素子の配列方向（主走査方向）に対して直交する方向（副走査方向）へ往復移動可能に構成されている。第二ユニットの下面には、ＦＢ読み取り用プラテンを覆う押圧部（６０）が設けられている。フラットベッド方式で画像を読み取る際には、第二ユニットを開位置へ変位させて、読み取り対象物をＦＢ読み取り用のプラテンに支持させた状態で、第二ユニットを閉位置へ変位させることにより、読み取り対象物を押圧部で押圧してＦＢ読み取り用のプラテンに密接させることができる。
【０００４】
他方のイメージセンサは、ＡＤＦによって搬送されるシートの画像を読み取り可能な位置に固定されている。第二ユニットにおいて、ＡＤＦによるシートの搬送経路に沿った位置にはＡＤＦ読み取り用のプラテン（６３）が配設され、他方のイメージセンサは、ＡＤＦ読み取り用プラテンを挟んで搬送経路に対向する位置に配設されている。また、搬送経路を挟んでＡＤＦ読み取り用プラテンと対向する位置には、ＡＤＦによって搬送されるシートをＡＤＦ読み取り用プラテン側へと押圧するシート押さえ部（４３）が設けられている。
【０００５】
上記特許文献１に記載の画像読取装置の場合、シート押さえ部は、第二ユニットに対して着脱可能又は回動可能に配設され、シート押さえ部をＡＤＦ読み取り用プラテンから離間させることができる構造とされている。これにより、シート押さえ部やＡＤＦ読み取り用プラテンに対するメンテナンスなどを実施することができる。
【先行技術文献】
【特許文献】
【０００６】
【特許文献１】特許３５７１２８８号公報
【発明の概要】
【発明が解決しようとする課題】
【０００７】
しかし、上記特許文献１に記載の画像読取装置の場合、シート押さえ部をＡＤＦ読み取り用プラテンから離間させる際には、上述した押圧部の一部を下方へ曲げなければならない構造となっていた。そのため、シート押さえ部を第二ユニットに対して着脱する操作又は回動させる操作を実施するたびに、押圧部が曲げられてしまうので、押圧部に余計な曲げ癖、折り癖、折り目、又は皺などが生じるおそれがあった。そして、そのような曲げ癖等が生じると、押圧部のプラテンに対する密着性が局所的に低下し、画像の読み取り品質に悪影響を及ぼすおそれがあった。
【０００８】
以上のような事情から、第二ユニットの下面が開閉される構造であって、第二ユニットの下面に配設された押圧部に余計な曲げ癖等が生じるのを抑制可能な画像読取装置を提供することが望ましい。
【課題を解決するための手段】
【０００９】
以下に説明する画像読取装置は、第一ユニットと、第一ユニットに取り付けられ、閉位置と開位置との間で変位可能で、閉位置にある場合には第一ユニットの上面を覆う第二ユニットとを有し、第一ユニットは、読み取り対象物を支持可能な支持部と、支持部に沿って移動しつつ支持部によって支持された読み取り対象物の画像を読み取り可能な第一読取部とを備え、第二ユニットは、所定の搬送経路に沿ってシートを搬送する搬送部と、第二ユニットが閉位置にある場合に、支持部に支持されている読み取り対象物を支持部側へと押圧する押圧部と、搬送部によって搬送されるシートが接触可能な接触部と、搬送経路を挟んで接触部と対向する箇所に配設されたシート押さえ部と、接触部を挟んでシート押さえ部とは反対側に配設され、搬送部によって搬送されるシートの画像を読み取り可能な第二読取部と、第一位置と第二位置との間で変位可能で、シート押さえ部を保持しており、第一位置にある場合には、シート押さえ部を接触部に接触させてシート押さえ部及び接触部を覆う一方、第二位置にある場合には、シート押さえ部を接触部から離間させるカバー部とを備え、カバー部は、第二ユニットが閉位置にある場合に第一ユニットに対向する箇所、かつ、押圧部とは重ならない箇所に設けられていて、第二ユニットが閉位置にある場合には、第一ユニットによって第二位置への変位が規制され、第二ユニットが開位置にある場合には、第一ユニットによる規制が解除されて第二位置へ変位可能となる。
【００１０】
このように構成された画像読取装置によれば、上述のようなシート押さえ部が上述のようなカバー部に取り付けられている。そのため、カバー部を第二位置へ変位させることにより、シート押さえ部を接触部から離間させることができる。したがって、例えば、シート押さえ部と接触部との間においてシート詰まりが発生したような場合には、カバー部を第二位置へ変位させることにより、詰まったシートを除去することができる。また、接触部の汚れを除去したい場合には、カバー部を第二位置へ変位させることにより、接触部を清掃することができる。
【００１１】
また、カバー部は、第二ユニットが閉位置にある場合には、第一ユニットによって第二位置への変位が規制される。そのため、第二ユニットが閉位置にあってもカバー部が第二位置へ変位可能となっている場合とは異なり、カバー部の位置が安定し、シート押さえ部を適切に機能させることができる。
【００１２】
さらに、カバー部は、押圧部とは重ならない箇所に設けられているので、カバー部を第一位置と第二位置との間で変位させる際には、押圧部を変形させなくてもよい。そのため、カバー部が押圧部と重なる箇所に設けられている場合とは異なり、押圧部に対して、カバー部の開閉に伴う余計な曲げ癖、折り癖、折り目、又は皺などが生じるのを抑制することができる。
【図面の簡単な説明】
【００１３】
【図１】図１は複合機の構成を示すブロック図である。
【図２】図２は読取ユニットの縦断面図である。
【図３】図３は図２中に示したＩＩＩ部の拡大図である。
【図４】図４は読取ユニットの斜視図である。
【図５】図５はシート押さえカバー等の底面図である。
【図６】図６（Ａ）はシート押さえカバー等の斜視図である。図６（Ｂ）は図６（Ａ）に示すシート押さえカバー等から第二シート押さえ部を除外した状態を示す斜視図である。図６（Ｃ）は図６（Ｂ）中に示したＶＩＣ部の拡大図である。
【図７】図７（Ａ）は第一位置にあるシート押さえカバー等の前後方向中央における断面図である。図７（Ｂ）は第三位置にあるシート押さえカバー等の前後方向中央における断面図である。図７（Ｃ）は第二位置にあるシート押さえカバー等の前後方向中央における断面図である。
【図８】図８（Ａ）は第一位置にあるシート押さえカバー等の前端側における断面図である。図８（Ｂ）は第三位置にあるシート押さえカバー等の前端側における断面図である。図８（Ｃ）は第二位置にあるシート押さえカバー等の前端側における断面図である。
【図９】図９（Ａ）はシート押さえカバーの組み付け手順（その１）を示す説明図である。図９（Ｂ）はシート押さえカバーの組み付け手順（その２）を示す説明図である。
【発明を実施するための形態】
【００１４】
次に、上述の画像読取装置について、例示的な実施形態を挙げて説明する。
［複合機の構成］
図１に示す複合機１は、上述の画像読取装置の一例に相当する構成を備えるものである。複合機１は、図１に示すように、本体ユニット２と、読取ユニット３（本明細書でいう画像読取装置の一例に相当。）とを備える。読取ユニット３は、ＦＢ部５（本明細書でいう第一ユニットの一例に相当。）と、ＡＤＦ部６（本明細書でいう第二ユニットの一例に相当。）とを備える。読取ユニット３の詳細については後述する。
【００１５】
本体ユニット２には、図１に示すように、制御部１１が設けられている。制御部１１は、周知のＣＰＵ１１Ａ、ＲＯＭ１１Ｂ、ＲＡＭ１１Ｃ、ＮＶＲＡＭ１１Ｄ、及びインターフェース部１１Ｅなどを備える。ＣＰＵ１１Ａは、ＲＯＭ１１ＢやＲＡＭ１１Ｃに記憶された制御プログラムに従って所定の処理を実行し、これにより、複合機１の各部に対する制御が実行される。
【００１６】
制御部１１による制御対象としては、画像形成部１２、ＬＡＮ通信部１３、操作パネル１４、第一イメージセンサ１５（本明細書でいう第一読取部の一例に相当。）、第二イメージセンサ１６（本明細書でいう第二読取部の一例に相当。）、モータ１７、モータ１８、及びシート検知センサ１９などが設けられている。これらのうち、画像形成部１２、ＬＡＮ通信部１３、及び操作パネル１４は、本体ユニット２に設けられている。第一イメージセンサ１５、及びモータ１７は、ＦＢ部５に設けられている。第二イメージセンサ１６、モータ１８、及びシート検知センサ１９は、ＡＤＦ部６に設けられている。
【００１７】
画像形成部１２は、被記録媒体に対してインクジェット方式で画像を形成可能に構成されている。より詳しくは、画像形成部１２は、被記録媒体を搬送するための搬送機構、インクを噴射する記録ヘッド、及び記録ヘッドを往復移動させるための駆動機構等を備える。ただし、これらは周知の構成なので、これ以上の説明、及び図示を省略する。なお、画像形成部１２は、電子写真方式で被記録媒体に画像を形成可能に構成されていてもよい。
【００１８】
ＬＡＮ通信部１３は、無線ＬＡＮに対応した通信インターフェース装置、及び有線ＬＡＮに対応した通信インターフェース装置によって構成されている。操作パネル１４は、利用者が複合機１に対して各種指令を与える際に操作する入力装置（例えば、タッチパネル、各種ボタン類、及びスイッチ類。）と、複合機１の動作状態などを利用者に通知するための出力装置（例えば、液晶ディスプレイ装置、及び各種ランプ類。）を有する。
【００１９】
第一イメージセンサ１５、及び第二イメージセンサ１６は、本実施形態の場合、双方とも密着イメージセンサ（ＣＩＳ；Contact Image Sensor）である。モータ１８は、第一イメージセンサ１５を作動させるための動力源である。モータ１８は、ＡＤＦ部６においてシートを搬送するための動力源である。シート検知センサ１９は、ＡＤＦ部６において搬送されるシートの搬送方向先端や搬送方向後端が、所定の検出位置を通過したことを検出するセンサである。
【００２０】
シート検知センサ１９としては、本実施形態の場合、搬送中のシートが接触する状態にあるか否かに応じてオンとオフが切り替わる接触式センサが採用されている。ただし、接触式センサを利用するか否かは任意であり、シートの搬送方向先端や搬送方向後端が所定の検出位置を通過したことを非接触で検出可能なセンサを用いてもよい。例えば、搬送中のシートが光路を遮る状態にあるか否かを検出可能な光学式センサや、搬送中のシートによって光が反射されるか否かを検出可能な光学式センサなどを利用し得る。
【００２１】
［読取ユニットの詳細］
読取ユニット３において、ＡＤＦ部６は、図２、及び図３に示すように、所定の搬送経路（図３中に破線で示す経路参照。）に沿ってシートを搬送する搬送部２０を備える。搬送部２０の搬送方向上流側には、搬送部２０へ供給されるシートを支持する供給部２１が設けられている。搬送部２０の搬送方向下流側には、搬送部２０から排出されたシートを支持する排出部２２が設けられている。
【００２２】
搬送部２０は、吸入ローラ２５、分離ローラ２６Ａ、分離片２６Ｂ、第一搬送ローラ２７Ａ、第一ピンチローラ２７Ｂ、第二搬送ローラ２８Ａ、第二ピンチローラ２８Ｂ、排出ローラ２９Ａ、及び排出ピンチローラ２９Ｂなどを備える。
【００２３】
供給部２１に載置されるシートは、吸入ローラ２５によって供給部２１から搬送方向下流側へと送り出され、分離ローラ２６Ａ、及び分離片２６Ｂによって１枚ずつに分離される。そして、更に第一搬送ローラ２７Ａや第二搬送ローラ２８Ａによって搬送方向下流側へと搬送されて、排出ローラ２９Ａによって排出部２２上へと排出される。
【００２４】
上記搬送経路に沿った位置で、当該搬送経路が最も下側に位置する箇所には、第一ＡＤＦプラテン３１が設けられ、搬送経路を挟んで第一ＡＤＦプラテン３１と対向する位置には、第一シート押さえ部３３が設けられている。第一シート押さえ部３３は、第一ＡＤＦプラテン３１に対して上側から対向している。また、上記搬送経路に沿った位置で、第二搬送ローラ２８Ａから第一ＡＤＦプラテン３１に向かって斜め下方へと延びる搬送経路の上方には、第二ＡＤＦプラテン３２（本明細書でいう接触部の一例に相当。）が設けられ、搬送経路を挟んで第二ＡＤＦプラテン３２と対向する位置には、第二シート押さえ部３４（本明細書でいうシート押さえ部の一例に相当。）が設けられている。第二シート押さえ部３４は、第二ＡＤＦプラテン３２に対して斜め下側から対向している。
【００２５】
これらのうち、第一ＡＤＦプラテン３１は、ＦＢ部５側に配設され、第二ＡＤＦプラテン３２、第一シート押さえ部３３、及び第二シート押さえ部３４は、ＡＤＦ部６側に配設されている。第一ＡＤＦプラテン３１、及び第二ＡＤＦプラテン３２は、本実施形態の場合、ガラス板によって構成されている。第一シート押さえ部３３、及び第二シート押さえ部３４は、金属製の部材（板金部品）である。
【００２６】
第一シート押さえ部３３は、第一シート押さえ用ばね３５（本実施形態においてはコイルばね。）によって第一ＡＤＦプラテン３１側に向かって付勢され、第一ＡＤＦプラテン３１の上面に接触しつつ通過するシートを第一ＡＤＦプラテン３１側へ押圧する。ただし、第一シート押さえ部３３は、第一ＡＤＦプラテン３１に対向する側、かつ本実施形態でいう前後方向両端となる箇所に凸部（図示略。）を有し、これらの凸部で第一ＡＤＦプラテン３１に当接している。そのため、第一シート押さえ部３３における第一ＡＤＦプラテン３１に対向する面と第一ＡＤＦプラテン３１との間には、上述した凸部の突出高さに相当する微小な隙間が形成されている。
【００２７】
シートが第一ＡＤＦプラテン３１と第一シート押さえ部３３との間を搬送される際、第一シート押さえ部３３は、上述の微小な隙間が維持される範囲内で、シートを第一ＡＤＦプラテン３１側へ押圧する。ばね３５は、シートの搬送を妨げない程度の付勢力で第一シート押さえ部３３を第一ＡＤＦプラテン３１側へ押圧し、これにより、シートが第一ＡＤＦプラテン３１側から浮き上がるのを抑制する。
【００２８】
第二シート押さえ部３４は、第二シート押さえ用ばね３６（本明細書でいう第二付勢部材の一例に相当。本実施形態においてはコイルばね。）によって第二ＡＤＦプラテン３２側に向かって付勢され、第二ＡＤＦプラテン３２の上面に接触しつつ通過するシートを第二ＡＤＦプラテン３２側へ押圧する。ただし、第二シート押さえ部３４も、第二ＡＤＦプラテン３２に対向する側、かつ本実施形態でいう前後方向両端となる箇所に凸部（図示略。）を有し、これらの凸部で第二ＡＤＦプラテン３２に当接している。そのため、第二シート押さえ部３４における第二ＡＤＦプラテン３２に対向する面と第二ＡＤＦプラテン３２との間には、上述した凸部の突出高さに相当する微小な隙間が形成されている。
【００２９】
シートが第二ＡＤＦプラテン３２と第二シート押さえ部３４との間を搬送される際、第二シート押さえ部３４は、上述の微小な隙間が維持される範囲内で、シートを第二ＡＤＦプラテン３２側へ押圧する。ばね３６は、シートの搬送を妨げない程度の付勢力で第二シート押さえ部３４を第二ＡＤＦプラテン３２側へ押圧し、これにより、シートが第二ＡＤＦプラテン３２側から浮き上がるのを抑制する。
【００３０】
また、ＦＢ部５には、ＦＢプラテン３７（本明細書でいう支持部の一例に相当。）が設けられ、ＡＤＦ部６には、押圧部３８が設けられている。ＦＢプラテン３７は、本実施形態の場合、第一ＡＤＦプラテン３１、及び第二ＡＤＦプラテン３２と同様に、ガラス板によって構成されている。押圧部３８は、発泡樹脂層と硬質樹脂フィルム層の積層体によって構成されている。ＡＤＦ部６が閉じられた際、押圧部３８は、若干の弾性変形を伴ってＦＢプラテン３７側に密接し、ＦＢプラテン３７上に載置された読み取り対象物をＦＢプラテン３７側へ押圧する。
【００３１】
第二ＡＤＦプラテン３２及び第二シート押さえ部３４は、ＦＢプラテン３７の上面（すなわち、読み取り対象物の支持面。）に対して傾斜した状態で配置されている。そのため、第二ＡＤＦプラテン３２と第二シート押さえ部３４との間を通る搬送経路は、本実施形態でいう左上から右下へ傾斜した経路となる。したがって、第二ＡＤＦプラテン３２と第二シート押さえ部３４との間を通る搬送経路が水平に延びる構造とされている場合に比べ、搬送経路が占める領域の水平方向長は短くなる。よって、搬送経路が占める領域付近の構造を水平方向に小型化でき、その分だけ複合機１の設置に必要な面積を小さくすることができる。
【００３２】
ＦＢ部５には、ガイドレール４１、キャリッジ４３などが設けられている。ガイドレール４１は、第一ＡＤＦプラテン３１の下方からＦＢプラテン３７の下方にわたる範囲において、第一ＡＤＦプラテン３１、及びＦＢプラテン３７の下面と平行な状態で、本実施形態でいう左右方向に延在している。
【００３３】
キャリッジ４３は、ガイドレール４１の上側に取り付けられることにより、ガイドレール４１に沿って左右方向へ往復移動可能な状態で支持されている。このキャリッジ４３は、歯付きベルト（図示略。）に連結され、モータ１７から伝達される動力によって歯付きベルトが循環駆動されるのに追従して左右方向へ往復移動する。
【００３４】
第一イメージセンサ１５は、キャリッジ４３に搭載されて、キャリッジ４３とともに左右方向へ往復移動する。第二イメージセンサ１６は、第二ＡＤＦプラテン３２を挟んで搬送経路に対向する位置から移動することはない。第一イメージセンサ１５、及び第二イメージセンサ１６が有する複数の読取素子は、本実施形態でいう前後方向に配列されている。
【００３５】
ＦＢプラテン３７の上面に載置された読み取り対象物（例えば、シートやブック原稿など）の画像を読み取る場合、第一イメージセンサ１５は、読取素子の配列方向（主走査方向）に対して直交する方向（副走査方向）へキャリッジ４３とともに移動しながら画像を読み取る。また、搬送部２０によって搬送されるシートの画像を読み取る場合、第一イメージセンサ１５は、第一シート押さえ部３３、及び第一ＡＤＦプラテン３１の下方で静止し、第一ＡＤＦプラテン３１の上面に接触しつつ通過するシートの画像を読み取る。第二イメージセンサ１６は、第二シート押さえ部３４、及び第二ＡＤＦプラテン３２の下方において、第二ＡＤＦプラテン３２の上面に接触しつつ通過するシートの画像を読み取る。
【００３６】
［シート押さえカバーの詳細］
ＡＤＦ部６は、ＦＢ部５に対して閉位置と開位置との間で変位可能に構成されている。ＡＤＦ部６が閉位置にある場合には、図２に示すように、ＦＢ部５の上面はＡＤＦ部６によって覆われる。一方、ＡＤＦ部６が開位置にある場合には、図４に示すように、ＦＢ部５の上面及びＡＤＦ部６の下面が装置の外部に露出する。
【００３７】
ＦＢ部５の上面には、第一ＡＤＦプラテン３１、及びＦＢプラテン３７が配設されている。ＡＤＦ部６の下面には、第一シート押さえ部３３、押圧部３８、及びシート押さえカバー５０（本明細書でいうカバー部の一例に相当。）が配設されている。第一シート押さえ部３３が配設されている位置は、ＡＤＦ部６が閉位置にある場合に第一ＡＤＦプラテン３１と重なる位置とされている。押圧部３８が配設されている位置は、ＡＤＦ部６が閉位置にある場合にＦＢプラテン３７と重なる位置とされている。
【００３８】
シート押さえカバー５０が配設されている位置は、押圧部３８とは重ならない箇所（より具体的には、第一シート押さえ部３３を挟んで押圧部３８とは反対側にある箇所。）とされている。シート押さえカバー５０は、樹脂製の部品で、図５、図６（Ａ）、及び図６（Ｂ）に示すように、回動軸５１１，５１２、第一支軸５３１，５３２、仮組み部５４１，５４２、第二支軸５５１，５５２、凸部５７、凹部５８等を有する。
【００３９】
回動軸５１１，５１２は、シート押さえカバー５０におけるシートの幅方向（本実施形態でいう前後方向。）の両端付近に設けられている。これら回動軸５１１，５１２により、シート押さえカバー５０は、ＡＤＦ部６のベース部６Ａに対して回動可能に支持され、第一位置（図７（Ａ）及び図８（Ａ）参照。）と第二位置（図７（Ｃ）及び図８（Ｃ）参照。）との間で変位可能となる。なお、図７（Ａ）から図７（Ｃ）までの各図は、本実施形態でいう前後方向中央（図２及び図３と同様の箇所。）における断面図であり、図８（Ａ）から図８（Ｃ）までの各図は、第二シート押さえ部３４の一端（本実施形態で言う前端。）が見える箇所における断面図である。
【００４０】
シート押さえカバー５０が第一位置にある状態において、シート押さえカバー５０の回動中心は、押圧部３８に近い位置にあるシート押さえカバー５０の一端５０１（本実施形態でいう右端。）と押圧部３８から離れた位置にあるシート押さえカバー５０の他端５０２（本実施形態でいう左端。）とでは、他端５０２寄りの位置にある。そのため、シート押さえカバー５０が第一位置側から第二位置側へ回動する場合には、一端５０１（本実施形態でいう右端。）がＡＤＦ部６のベース部６Ａから離間する方向へ変位する。
【００４１】
回動軸５１１，５１２をベース部６Ａ側にある軸受け部に取り付ける際には、先に後端側にある回動軸５１２が後端側の軸受け部（図示略。）に挿し込まれる。そして、回動軸５１２側を支点にして、前端側にある回動軸５１１を、図９（Ａ）中に矢印Ａ１で示すように、導入口６３から本実施形態でいう上方へと変位させてから、本実施形態でいう左方へと変位させる。その後は、図９（Ｂ）に示すように、ベース部６Ａとは別部品のストッパ６４を嵌め込んで導入口６３を塞ぎ、ねじ６５でストッパ６４をベース部６Ａに固定することにより、シート押さえカバー５０の取り付け作業が完了する。
【００４２】
ここで、第一支軸５３１，５３２には、図５、図６（Ａ）、及び図６（Ｂ）に示すように、戻しばね６１１，６１２（本明細書でいう第一付勢部材の一例に相当。本実施形態においてはねじりコイルばね。）が取り付けられている。シート押さえカバー５０がベース部６Ａに組み付けられる前の段階では、本実施形態でいう前端側にある戻しばね６１１のアーム６１１Ａが、仮組み部５４１に引っ掛かっている。また、本実施形態でいう後端側にある戻しばね６１２のアーム６１２Ａも、仮組み部５４２に引っ掛かっている。
【００４３】
仮組み部５４１は、図５に示すように、回動軸５１１と第一支軸５３１との境界付近から左方へと延出する部分、及び当該左方へと延出する部分から後方へと突出する部分を有し、当該後方へと突出する部分にアーム６１１Ａが引っ掛かる状態にある。仮組み部５４２は、回動軸５１２と第一支軸５３２との境界付近から左方へと延出する部分、及び当該左方へと延出する部分から前方へと突出する部分を有し、当該前方へと突出する部分にアーム６１２Ａが引っ掛かる状態にある。
【００４４】
このような状態において、戻しばね６１１，６１２は、いくらか弾性変形した状態にあり、その弾性力でアーム６１１Ａ，６１２Ａは、仮組み部５４１,５４２に圧接している。また、図５に示すように、戻しばね６１１のアーム６１１Ｂ、及び戻しばね６１２のアーム６１２Ｂは、シート押さえカバー５０に形成されたアーム受け６６１，６６２に圧接している。
【００４５】
シート押さえカバー５０には、図６（Ｂ）及び図６（Ｃ）に示すようにリブ５０３が突設され、そのリブ５０３には、下側から上方に向かって凹む切り欠き部５０５が形成されている。上述のアーム受け６６１は、図６（Ｃ）示すように、切り欠き部５０５の上端を画定する箇所にあり、戻しばね６１１のアーム６１１Ｂは、上向きに付勢されて切り欠き部５０５の上端においてアーム受け６６１に圧接する状態にある。
【００４６】
なお、シート押さえカバー５０には、図６（Ｂ）に示すようにリブ５０４が突設されている。図６（Ｂ）には表れないが、リブ５０４にも上述した切り欠き部５０５と同様の切り欠き部が形成され、その切り欠き部の上端を画定する箇所がアーム受け６６２とされている。戻しばね６１２のアーム６１２Ｂは、上向きに付勢されて図示しない切り欠き部の上端においてアーム受け６６２に圧接する状態にある。
【００４７】
このように、戻しばね６１１，６１２は、アーム６１１Ａ，６１１Ｂ，６１２Ａ，６１２Ｂがそれぞれいずれかの箇所に圧接している。そのため、戻しばね６１１，６１２を更に変形させない限り、仮組み部５４１,５４２からアーム６１１Ａ，６１２Ａが外れることはなく、これにより、戻しばね６１１，６１２が第一支軸５３１，５３２から脱落するのを抑制している。
【００４８】
一方、シート押さえカバー５０がベース部６Ａに組み付けられる際には、図９（Ａ）に示すように、仮組み部５４１に引っ掛かっていた戻しばね６１１のアーム６１１Ａは、ベース部６Ａ側にあるアーム受け６２１に当接し、仮組み部５４１からは離間する。同様に、仮組み部５４２に引っ掛かっていた戻しばね６１２のアーム６１２Ａもベース部６Ａ側にあるアーム受け（図示略。）に引っ掛かり、仮組み部５４２からは離間する。つまり、シート押さえカバー５０がベース部６Ａに組付けられた後の状態では、戻しばね６１１のアーム６１１Ａ、及び戻しばね６１２のアーム６１２Ａは、それぞれベース部６Ａ側のアーム受けに下側から当接した状態で保持される。
【００４９】
その結果、戻しばね６１１，６１２が、弾性変形した状態でシート押さえカバー５０とベース部６Ａとの間に介在する状態となり、シート押さえカバー５０には、戻しばね６１１，６１２からの付勢力が作用する。これにより、シート押さえカバー５０は、第二位置側から第一位置側へと回動する向きに付勢されることになる。なお、この状態において、仮組み部５４１，５４２には戻しばね６１１からの負荷がかからなくなる。
【００５０】
第二支軸５５１，５５２には、第二シート押さえ部３４が取り付けられている。シート押さえカバー５０と第二シート押さえ部３４との間には、図６（Ｂ）に示すように、第二シート押さえ用ばね３６が介装されている。第二シート押さえ用ばね３６は、シート押さえカバー５０に形成された支持突起６７に嵌め込まれて、所定の位置に保持されている。また、第二シート押さえ用ばね３６からは導電部３６Ａが延出している。導電部３６Ａは、シート押さえカバー５０に形成された保持片６９１，６９２により、所定の位置に保持されている。
【００５１】
導電部３６Ａは、金属部品７１（図３参照、）に接触する位置に配設されている。金属部品７１は、ベース部６Ａを補強するために配設された板金製の部材で、第二ピンチローラ２８Ｂから作用する付勢力でベース部６Ａに歪みが生じるのを抑制している。金属部品７１は、帯電を防ぐためにアースされている。そのため、金属製の第二シート押さえ用ばね３６を介して金属部品７１と第二シート押さえ部３４とが電気的に接続されることになり、これにより、第二シート押さえ部３４が帯電するのを抑制することができる。なお、シート押さえカバー５０が第一位置と第二位置との間で変位した場合でも、それに応じて導電部３６Ａが弾性変形しつつ金属部品７１に圧接することで、導電部３６Ａと金属部品７１との接触が常に維持されるように構成されている。
【００５２】
第二支軸５５１は、図８（Ａ）、図８（Ｂ）、及び図８（Ｃ）に示すように、第二シート押さえ部３４に形成された長孔７３に通されている。また、図示は省略するが、第二支軸５５２も、同様の長孔に通されている。そのため、シート押さえカバー５０と第二シート押さえ部３４との間で双方に対して第二シート押さえ用ばね３６からの付勢力が作用すると、例えば図８（Ｃ）に表れるように、第二シート押さえ部３４は、第二支軸５５１と長孔７３とが相対的に変位可能な範囲内で、シート押さえカバー５０側から離間する。
【００５３】
ここで、上述の通り、シート押さえカバー５０は、戻しばね６１１，６１２からの付勢力により、第二位置側から第一位置側へと回動する向きに付勢されている。そのため、他に外力を加えない限り、図７（Ｃ）及び図８（Ｃ）に示す第二位置にあるシート押さえカバー５０は、各図中において反時計回りに回動して、図７（Ｂ）及び図８（Ｂ）に示す第三位置に到達する。
【００５４】
シート押さえカバー５０が第三位置に到達した場合、第二シート押さえ部３４は、第二ＡＤＦプラテン３２に当接する。この時点で、戻しばね６１１，６１２は、シート押さえカバー５０を更に反時計回りに回動させる向きに付勢する状態にある。ただし、上述の通り、シート押さえカバー５０と第二シート押さえ部３４との間には、第二シート押さえ用ばね３６が介装されている。
【００５５】
この第二シート押さえ用ばね３６については、シート押さえカバー５０が図７（Ａ）及び図８（Ａ）に示す第一位置にある場合に、第二ＡＤＦプラテン３２側に向かって適正な付勢力を作用させることができるようなばね定数を持つものが選定されている。すなわち、過度に弱いばねでは第二ＡＤＦプラテン３２側へシートを適正に押し付けることができず、過度に強いばねではシートの搬送を妨げるので、これらの点を考慮して適度な付勢力を持つばねが選定されている。
【００５６】
一方、戻しばね６１１，６１２については、シート押さえカバー５０が自重で第二位置側へ変位するのを抑制する役割を果たしている。そのため、利用者がシート押さえカバー５０を第二位置へ変位させた場合であっても、意図的にシート押さえカバー５０の変位を規制しない限り、シート押さえカバー５０が第二位置に留まることはない。したがって、シート押さえカバー５０が第二位置にある状態のまま、ＡＤＦ部６を閉位置に変位させてしまうおそれを低減することができる。
【００５７】
戻しばね６１１，６１２の場合、上述のような機能を実現できれば、それ以上に過大な付勢力は不要である。むしろ、戻しばね６１１，６１２の付勢力を過大にすると、シート押さえカバー５０には、両端付近と中央付近とで相反する方向へ回動させようとする力が作用することになるので、樹脂製部品であるシート押さえカバー５０に歪（クリープ変形。）が生じやすくなる。そこで、これらの点を考慮して、戻しばね６１１，６１２については、シート押さえカバー５０の自重に打ち勝つ程度の付勢力を持つばねが選定されている。
【００５８】
このような事情から、シート押さえカバー５０が第三位置に到達した場合、戻しばね６１１，６１２は、シート押さえカバー５０が自重で下がらない程度の付勢力を発揮するものの、第二シート押さえ用ばね３６を更に圧縮するほどの付勢力は発揮せず、シート押さえカバー５０は第三位置に保持される。すなわち、ＡＤＦ部６が開位置にある状態では、シート押さえカバー５０のストローク可能な範囲に対応する分だけ、シート押さえカバー５０は第一位置側へ戻りきらず、第三位置に保持されることになる。
【００５９】
一方、シート押さえカバー５０が第三位置に保持されている状態で、ＡＤＦ部６を閉位置に変位させると、シート押さえカバー５０はＦＢ部５の上面に当接する。このとき、第二シート押さえ部３４には、第二ＡＤＦプラテン３２を介してＡＤＦ部６からの荷重がかかる。その結果、第二シート押さえ用ばね３６は、シート押さえカバー５０と第二シート押さえ部３４との間で圧縮され、シート押さえカバー５０は図７（Ａ）及び図８（Ａ）に示す第一位置に変位する。
【００６０】
シート押さえカバー５０が第一位置へ変位すると、シート押さえカバー５０は、図８（Ａ）中に示すように、ベース部６Ａ側にある当て部７５に当接する。当て部７５は、戻しばね６１１，６１２の近傍においてシート押さえカバー５０に当接している。そのため、戻しばね６１１，６１２からシート押さえカバー５０に作用する付勢力で、シート押さえカバー５０に歪（クリープ変形。）が生じるのを抑制することができる。
【００６１】
シート押さえカバー５０が当て部７５に当接する状態になった場合、シート押さえカバー５０は第一位置を越えて第二位置側とは反対方向へ変位することはない。そのため、第二ＡＤＦプラテン３２から第二シート押さえ部３４に対してかかる荷重が更に増大することはなく、第二シート押さえ用ばね３６は、設計通りの圧縮荷重がかけられた状態で保持されることになる。つまり、ＡＤＦ部６が閉位置にある場合には、シート押さえカバー５０が適正に第一位置にまで変位し、その結果、第二シート押さえ部３４が第二ＡＤＦプラテン３２に対して適正な荷重で圧接する状態になる。
【００６２】
このように、読取ユニット３においては、ＡＤＦ部６が閉位置にある場合には、シート押さえカバー５０が図７（Ａ）及び図８（Ａ）に示す第一位置に変位する。このとき、シート押さえカバー５０はＦＢ部５によって第二位置への変位が規制される。また、ＡＤＦ部６が開位置にある場合には、シート押さえカバー５０が図７（Ｂ）及び図８（Ｂ）に示す第三位置に変位する。このとき、シート押さえカバー５０はＦＢ部５による規制が解除されて第二位置へ変位可能となる。そのため、利用者がシート押さえカバー５０を操作すれば、シート押さえカバー５０を図７（Ｃ）及び図８（Ｃ）に示す第二位置に変位させることができる。また、その操作をやめれば、特に手作業でシート押さえカバー５０を第一位置側へ戻さなくても、シート押さえカバー５０は図７（Ｂ）及び図８（Ｂ）に示す第三位置に向かって変位する。
【００６３】
凸部５７は、ＡＤＦ部６が閉位置にある場合に、ＦＢ部５の上面に当接する箇所である。この凸部５７は、ちょうど第二シート押さえ用ばね３６の配設箇所の裏側にあり、第二シート押さえ用ばね３６からかかるシート押さえカバー５０に対してかかる荷重は、凸部５７を介してＦＢ部５側へと伝わる。したがって、シート押さえカバー５０よりも剛性を高めることが容易なＦＢ部５の上面で、第二シート押さえ用ばね３６からの荷重を受けることができ、これにより、シート押さえカバー５０に歪みが生じるのを抑制することができる。
【００６４】
凹部５８は、利用者が上述のようにシート押さえカバー５０を操作する際に、指先をかけることができる箇所である。そのため、凹部５８は、本実施形態でいう前後方向の中央よりも前側に形成され、これにより、利用者が指先をかけやすくなっている。このような凹部５８を設ければ、シート押さえカバー５０を変位させる操作を容易に実施することができる。
【００６５】
［効果］
以上説明したように、上記複合機１によれば、第二シート押さえ部３４が上述のようなシート押さえカバー５０に取り付けられているので、シート押さえカバー５０を第二位置へ変位させることにより、第二シート押さえ部３４を第二ＡＤＦプラテン３２から離間させることができる。したがって、第二シート押さえ部３４と第二ＡＤＦプラテン３２との間においてシート詰まりが発生したような場合には、シート押さえカバー５０を第二位置へ変位させることにより、詰まったシートを除去することができる。また、第二ＡＤＦプラテン３２の汚れを除去したい場合には、シート押さえカバー５０を第二位置へ変位させることにより、第二ＡＤＦプラテン３２を清掃することができる。
【００６６】
また、シート押さえカバー５０は、ＡＤＦ部６が閉位置にある場合には、ＦＢ部５によって第二位置への変位が規制される。そのため、ＡＤＦ部６が閉位置にあってもシート押さえカバー５０が第二位置へ変位可能となっている構造とは異なり、シート押さえカバー５０の位置が安定し、第二シート押さえ部３４を適切に機能させることができる。
【００６７】
さらに、シート押さえカバー５０は、押圧部３８とは重ならない箇所に設けられているので、シート押さえカバー５０を第一位置と第二位置との間で変位させる際には、押圧部３８を変形させなくてもよい。そのため、シート押さえカバー５０が押圧部３８と重なる箇所に設けられているものとは異なり、押圧部３８に対して、シート押さえカバー５０の開閉に伴う余計な曲げ癖、折り癖、折り目、又は皺などが生じるのを抑制することができる。
【００６８】
また、上記複合機１の場合、上述のような戻しばね６１１，６１２を有するので、シート押さえカバー５０を第二位置へ変位させた際、特に手作業でシート押さえカバー５０を第一位置側へ戻さなくても、シート押さえカバー５０を第一位置側に向かって変位させることができる。
【００６９】
また、上記複合機１の場合、ＡＤＦ部６が開位置にある場合には、シート押さえカバー５０を第一位置まで強制的に戻すことをせず、第三位置にとどまることを許容している。すなわち、戻しばね６１１，６１２の付勢力は、第二シート押さえ用ばね３６の付勢力に打ち勝つほど強力な付勢力とはされていない。そのため、戻しばね６１１，６１２からシート押さえカバー５０に過大な付勢力が作用することはなく、これにより、シート押さえカバー５０に歪みが生じるのを抑制することができる。また、ＡＤＦ部６が閉位置にある場合には、シート押さえカバー５０が第二シート押さえ用ばね３６の付勢力に抗して第一位置へと変位するので、第二シート押さえ用ばね３６は、第二シート押さえ部３４に対して設計通りの付勢力を作用させることができる。
【００７０】
また、上記複合機１の場合、第二シート押さえ用ばね３６を導電用の部材としても利用して、第二シート押さえ部３４と金属部品７１とを電気的に接続しているので、第二シート押さえ部３４が帯電するのを抑制することができる。
【００７１】
［他の実施形態］
以上、シート搬送装置、及び画像読取装置について、例示的な実施形態を挙げて説明したが、上述の実施形態は本発明の一態様として例示されるものに過ぎない。すなわち、本発明は、上述の例示的な実施形態に限定されるものではなく、本発明の技術的思想を逸脱しない範囲内において、様々な形態で実施することができる。
【００７２】
例えば、上記実施形態では、画像読取装置に相当する読取ユニット３、及びシート搬送装置に相当するＡＤＦ部６が、複合機１に組み込まれる事例を示したが、単機能のイメージスキャナ装置として構成されたものにおいて、上述の構成を採用してもよい。
【００７３】
［補足］
なお、以上説明した例示的な実施形態から、本明細書で説明した画像読取装置は、更に以下に挙げるような構成を備えていてもよいことが把握できる。
【００７４】
まず、本明細書で説明した画像読取装置において、カバー部は、搬送部によって搬送されるシートの搬送方向に直交するシートの幅方向に平行な軸線を回動中心として、第二ユニットのベース部に対して回動可能に取り付けられており、カバー部が第一位置にある状態において、押圧部に近い位置にあるカバー部の一端と押圧部から離れた位置にあるカバー部の他端とでは、他端寄りの位置にカバー部の回動中心があり、カバー部が第二位置へ回動する場合には、一端が第二ユニットのベース部から離間する方向へ変位するように構成されていてもよい。
【００７５】
また、本明細書で説明した画像読取装置は、カバー部を第二位置側から第一位置側へと変位させる向きに付勢する第一付勢部材を有していてもよい。
このように構成された画像読取装置によれば、上述のような第一付勢部材を有する。そのため、カバー部を第二位置へ変位させた際、特に手作業でカバー部を第一位置側へ戻さなくても、カバー部を第一位置側に向かって変位させることができる。
【００７６】
また、本明細書で説明した画像読取装置において、第一付勢部材は、カバー部の回動中心となる軸線が延びる方向の両端それぞれに設けられていてもよい。
また、本明細書で説明した画像読取装置は、シート押さえ部を接触部側に向かって付勢する第二付勢部材を有し、第二ユニットが開位置にある場合には、カバー部は、第一付勢部材によって第一位置側へ付勢される一方、第二付勢部材によって第二位置側へ付勢されることにより、第一位置と第二位置との間で第一位置寄りの位置となる第三位置へと変位し、第二ユニットが閉位置にある場合には、カバー部は、第一ユニットに当接して、第二ユニットの荷重がカバー部に作用することにより、第二付勢部材の付勢力に抗して第一位置へと変位するように構成されていてもよい。
【００７７】
このように構成された画像読取装置によれば、第二ユニットが開位置にある場合には、カバー部を第一位置まで強制的に戻すことをせず、第三位置にとどまることを許容する。すなわち、第一付勢部材の付勢力は、第二付勢部材の付勢力に打ち勝つほど強力な付勢力とはされていない。そのため、第一付勢部材からカバー部に過大な付勢力が作用することはなく、これにより、カバー部に歪みが生じるのを抑制することができる。また、第二ユニットが閉位置にある場合には、カバー部が第二付勢部材の付勢力に抗して第一位置へと変位するので、第二付勢部材は、シート押さえ部に対して設計通りの付勢力を作用させることができる。
【００７８】
また、本明細書で説明した画像読取装置において、シート押さえ部は、板金製の部品であり、第二付勢部材は、金属製の部品であり、シート押さえ部とアース電位を持つ金属部品との間に介在して、シート押さえ部と金属部品とを電気的に接続していてもよい。
【００７９】
このように構成された画像読取装置によれば、第二付勢部材を導電用の部材としても利用して、シート押さえ部が帯電するのを抑制することができる。
また、本明細書で説明した画像読取装置において、接触部及びシート押さえ部は、支持部が有する読み取り対象物の支持面に対して傾斜した状態で配置されていてもよい。
【００８０】
このように構成された画像読取装置によれば、接触部及びシート押さえ部は、上述のような支持面に対して傾斜した状態で配置されている。そのため、接触部とシート押さえ部との間を通る搬送経路は支持面に対して傾斜する。したがって、例えば、支持面が水平になるように画像読取装置を設置する場合、接触部とシート押さえ部との間を通る搬送経路が支持面と平行に延びる構造よりも、搬送経路が占める領域の水平方向長は短くなる。よって、搬送経路が占める領域付近の構造を水平方向に小型化でき、その分だけ画像読取装置の設置に必要な面積を小さくすることができる。
【００８１】
また、本明細書で説明した画像読取装置において、カバー部は、当該カバー部を変位させる際に利用者が指先を掛けることが可能な孔又は凹部を有していてもよい。
このように構成された画像読取装置によれば、カバー部に上述のような孔又は凹部が設けられているので、同様な孔又は凹部が設けられていない場合に比べ、カバー部を変位させる操作を容易に実施することができる。
【符号の説明】
【００８２】
１…複合機、２…本体ユニット、３…読取ユニット、５…ＦＢ部、６…ＡＤＦ部、６Ａ…ベース部、１１…制御部、１１Ａ…ＣＰＵ、１１Ｂ…ＲＯＭ、１１Ｃ…ＲＡＭ、１１Ｄ…ＮＶＲＡＭ、１１Ｅ…インターフェース部、１２…画像形成部、１３…ＬＡＮ通信部、１４…操作パネル、１５…第一イメージセンサ、１６…第二イメージセンサ、１７…モータ、１８…モータ、１９…シート検知センサ、２０…搬送部、２１…供給部、２２…排出部、２５…吸入ローラ、２６Ａ…分離ローラ、２６Ｂ…分離片、２７Ａ…第一搬送ローラ、２７Ｂ…第一ピンチローラ、２８Ａ…第二搬送ローラ、２８Ｂ…第二ピンチローラ、２９Ａ…排出ローラ、２９Ｂ…排出ピンチローラ、３１…第一ＡＤＦプラテン、３２…第二ＡＤＦプラテン、３３…第一シート押さえ部、３４…第二シート押さえ部、３５…第一シート押さえ用ばね、３６…第二シート押さえ用ばね、３６Ａ…導電部、３７…ＦＢプラテン、３８…押圧部、４１…ガイドレール、４３…キャリッジ、５０…シート押さえカバー、５０１…シート押さえカバーの一端、５０２…シート押さえカバーの他端、５０３…リブ、５０４…リブ、５０５…切り欠き部、５１１，５１２…回動軸、５３１，５３２…第一支軸、５４１，５４２…仮組み部、５５１，５５２…第二支軸、５７…凸部、５８…凹部、６１１，６１２…戻しばね、６１１Ａ，６１１Ｂ，６１２Ａ，６１２Ｂ…アーム、６２１，６６１，６６２…アーム受け、６３…導入口、６４…ストッパ、６５…ねじ、６７…支持突起、６９１，６９２…保持片、７１…金属部品、７３…長孔、７５…当て部。
【図１】
0006406038.tif 000002
【図２】
0006406038.tif 000003
【図３】
0006406038.tif 000004
【図４】
0006406038.tif 000005
【図５】
0006406038.tif 000006
【図６】
0006406038.tif 000007
【図７】
0006406038.tif 000008
【図８】
0006406038.tif 000009
【図９】
0006406038.tif 000010